(57)【要約】  【課題】  突入電流防止のためのリアクターの外形寸法を、新たな部材を設けることなく小さいものとする。  【解決手段】  冷蔵庫１０の機械室４０に冷媒の圧縮機４２と、この圧縮機４２を冷却するための送風機４３が設けられている。この圧縮機４２と送風機４３との間の、送風機４３によって発生する気流が当たる位置にリアクター４４を配置する。これにより、送風機４３から発生する気流は圧縮機４２とリアクター４４とを冷却する。冷却されたリアクター４４は損失が低減されるため、小型にしても所定のリアクタンスを得ることができる。【選択図】      図１
2006177574.tif 000002
【特許請求の範囲】
【請求項１】
構成部材に気流を当てるように設けられた送風機と、電源投入時の突入電流抑制用のリアクターとを備えた冷蔵庫において、
前記送風機が発生させる気流が当たる位置にリアクターを設けたことを特徴とする冷蔵庫。
【請求項２】
前記構成部材が冷凍サイクルの一部をなす、冷媒の圧縮機であり、前記送風機がこの圧縮機を冷却するのに用いる送風機であることを特徴とする請求項１に記載の冷蔵庫。
【請求項３】
前記構成部材がイオン発生装置であり、前記送風機が、このイオン発生装置からイオンを飛散させるのに用いる送風機であることを特徴とする請求項１に記載の冷蔵庫。
【発明の詳細な説明】
【技術分野】
【０００１】
この発明は、リアクターを備えた冷蔵庫に関する。
【背景技術】
【０００２】
冷蔵庫には、電源投入時の突入電流を抑制するためにリアクターが設けられている。一般にこのリアクターは、特許文献１に示されているように制御基板の収納部に設けられ、ケースに収納されている。
【特許文献１】特開平１１−１０２８２５号公報（第２頁、図３、図４）
【発明の開示】
【発明が解決しようとする課題】
【０００３】
リアクターはコイルを内蔵するものであり、通電により発熱し、温度が上昇すると、コイルの損失が大きくなり効率が悪くなる。そのため、所定のリアクタンスを得るためには効率が悪くなった分、電流を多く流す必要があり、この電流を許容できる電流容量を有する外形寸法の大きなリアクターを用いなければならない。特許文献１に示されたケースに収納されたものでは、さらに温度が上昇しやすいため、より大きなリアクターが必要である。
【０００４】
また、リアクターから発生する高調波電流は発電所の設備に悪影響を与える可能性があるため、高調波電流の限度についてＪＩＳ規格が設けられている。この高調波電流を抑制する方法として、リアクタンスを大きくするという方策があるが、これによってもリアクターの外形寸法が大きくなる。
【０００５】
このように外形寸法の大きなリアクターを用いることは、冷蔵庫の内容積の減少の一因となっている。リアクターを強制冷却すれば外形寸法の大きなリアクターを用いなくても済むが、リアクターの設けられている制御基板収納部はスペースが限られており、ファンモーターなどの冷却用送風機を設けるのは困難である。
【０００６】
そこで、本発明では、冷蔵庫に既に設けられている送風機から発生する気流が当たる位置にリアクターを配置し、新たな冷却装置を設けることなくリアクターを冷却できるようにすることにより、リアクターの小型化を可能とし、ひいては冷蔵庫の内容積を大きくすることを目的とする。
【課題を解決するための手段】
【０００７】
（１）上記目的を達成するために本発明は、構成部材に気流を当てるように設けられた送風機と、電源投入時の突入電流抑制用のリアクターとを備えた冷蔵庫において、前記送風機が発生させる気流が当たる位置にリアクターを設けたことを特徴とする。
【０００８】
この構成によると、送風機の発生させる気流が構成部材のみならずリアクターにも当たるため、リアクターが冷却される。
【０００９】
（２）また本発明は、前記構成部材が冷凍サイクルの一部をなす、冷媒の圧縮機であり、前記送風機がこの圧縮機を冷却するのに用いる送風機であることを特徴とする。
【００１０】
（３）また本発明は、前記構成部材がイオン発生装置であり、前記送風機が、このイオン発生装置からイオンを飛散させるのに用いる送風機であることを特徴とする。
【発明の効果】
【００１１】
（１）本発明によると、送風機の発生させる気流が当たる位置にリアクターを設けることにより、リアクターがこの気流により冷却されるため、通電に伴う温度上昇によるリアクターのコイルの損失が抑制される。従って従来と同じリアクタンスを得るのに、従来よりも小型化したリアクターを利用することができるため、冷蔵庫の内容積を大きくすることができる。また、従来よりも小型のリアクターであっても、高調波電流を抑制することができる。さらに、この送風機は冷蔵庫の構成部材に気流を当てるために従来設けられているものであるため、新たな部品を設ける必要がない。
【００１２】
（２）また本発明によると、冷媒を圧縮、気化させる冷凍サイクルによって冷却動作を行う冷蔵庫に備えられた圧縮機を冷却するために設けられた送風機を、リアクターを冷却するために利用するため、新たな部品を設けなくてもリアクターを小型化することができる。
【００１３】
（３）また本発明によると、カビ菌等を不活性化するイオンを発生するイオン発生装置およびこのイオンを室内に飛散させる送風機を備えた冷蔵庫において、リアクターを冷却するためにこの送風機を利用するため、新たな部品を設けなくてもリアクターを小型化することができる。
【発明を実施するための最良の形態】
【００１４】
本発明の第１の実施形態を、図１を用いて説明する。図１は本発明の第１の実施形態に係る冷蔵庫の背面から見た断面図である。
【００１５】
冷蔵庫１０の背面部には、上部に電装室２０、中央部に冷却器３０、下部に機械室４０が設けられている。
【００１６】
電装室２０には冷蔵庫１０の冷却動作を制御する制御基板などが設けられている。冷却器３０の下方には、除霜用ヒータ３２、除霜水受け皿３３が設けられている。機械室４０は上方を断熱壁４１で仕切られており、内部には蒸発皿３４、圧縮機４２、送風機４３、リアクター４４が設けられている。
【００１７】
冷蔵庫１０に電源が投入されるとリアクター４４に通電される。リアクター４４は電源投入時や冷却開始時などの通電開始時に突入電流を防止するものである。同時に圧縮機４２および送風機４３が動作し、次に説明する冷凍サイクル運転が開始される。冷却器３０および圧縮機４２は、図示しない配管や凝縮器などとともに冷蔵庫１０の冷凍サイクルの一部をなすものである。配管内には冷媒が封入されており、圧縮機４２によって圧縮され、高温高圧の気体に変化する。この高温高圧の気体状態の冷媒は凝縮器によって放熱しながら液化し、液化した冷媒は冷却器３０において気化し、周囲から熱を奪う。冷却器３０は図示しない断熱壁に囲まれた庫内に配置されており、この冷媒の気化により冷却器３０の周辺の空気は温度が低下し、冷蔵庫１０の庫内を冷却する。その後、気化した冷媒は再び圧縮機４２によって圧縮され、以上の冷凍サイクル運転を繰り返す。
【００１８】
冷却器３０は動作すると氷点下に温度が低下し霜が付くため、除霜用ヒータ３２により霜を融かし、その水を除霜水受け皿３３で受け、蒸発皿３４に溜める。蒸発皿３４は圧縮機４２の上方に配置されているため、圧縮機４２の熱により蒸発皿３４に溜められた水は蒸発し、送風機４３から発生する気流によって冷蔵庫１０の外部へ排出される。
【００１９】
圧縮機４２は動作すると発熱するため、その熱が上部に伝わらないように断熱壁４１が設けられており、また送風機４３によって冷却される。送風機４３はファンモーターなどからなるものであり、冷蔵庫１０の外部から空気を吸い込み、発生した気流が蒸発皿３４および圧縮機４２に当たるように設けられている。
【００２０】
本発明の第１の実施形態において、リアクター４４は蒸発皿３４および圧縮機４２と、送風機４３との間に、送風機４３が発生させる気流が当たるように配置されている。
【００２１】
リアクター４４はコイルを内蔵するものであり、通電によって発熱し、温度が上昇する。しかし、このように構成することにより、送風機４３によって冷却されるため、新たな部材を設けることなくリアクター４４の通電による温度上昇が低減される。
【００２２】
リアクターの温度が上昇するとリアクター内のコイルの損失が大きくなり効率が悪くなるため、従来、所定のリアクタンスを得るためには効率が悪くなった分、電流を多く流す必要があり、大きなリアクターを用いなければならなかった。さらに、リアクターから発生する高調波電流を抑制するために大型化してリアクタンスを大きくしたリアクターが用いられることもあった。しかし、本発明によるとリアクター４４は送風機４３によって温度上昇が低減され、従来よりも外形寸法が小さいリアクターで従来と同様のリアクタンスを得ることができるため、高調波電流を抑制しつつ、冷蔵庫１０を小型化することができる。
【００２３】
本発明の第２の実施形態を、図２を用いて説明する。図２は本発明の第２の実施形態に係る冷蔵庫の平面図である。
【００２４】
図２の上方が冷蔵庫１０の前面、下方が背面である。冷蔵庫１０の天面には、上方から見ると台形の枠体５１が設けられている。枠体５１の内部には送風機４３、リアクター４４、イオン発生装置４７が設けられている。
【００２５】
イオン発生装置４７は、カビ菌等を不活性化するイオンを発生するものである。枠体５１の背面側には吸気口５１ａ、前面側にはイオン排出口５１ｂが設けられており、送風機４３が吸気口５１ａから空気を吸い込んで発生する気流によって室内にイオンが飛散し、このイオンにより室内を浮遊するカビ菌等が不活性化される。
【００２６】
第２の実施形態において、リアクター４４はイオン発生装置４７と送風機４３との間に、送風機４３によって発生する気流が当たるように配置されている。このように構成することによりリアクター４４は送風機４３によって冷却されるため、第１の実施形態と同様に、リアクターの外形寸法を従来よりも小さくすることができ、新たな部材を設けることなく冷蔵庫１０を小型化することができる。
【産業上の利用可能性】
【００２７】
本発明は、送風機を備える冷蔵庫一般に用いることができる。
【図面の簡単な説明】
【００２８】
【図１】本発明の第１の実施形態に係る冷蔵庫の背面から見た断面図。
【図２】本発明の第２の実施形態に係る冷蔵庫の平面図。
【符号の説明】
【００２９】
１０    冷蔵庫
４２    圧縮機
４３    送風機
４４    リアクター
４７    イオン発生装置
【図１】
2006177574.tif 000003
【図２】
2006177574.tif 000004